(57)【要約】      （修正有）【課題】携帯電話に記憶された電話帳データを電話装置に記憶させ、表示させる場合、電話装置に記憶させた電話帳データのセキュリティを高めることが可能な電話システムを提供する。【解決手段】電話システムは、携帯電話と、一般加入者電話回線に接続された電話装置とを備える。前記携帯電話は、当該携帯電話を特定する特定情報を記憶する特定情報記憶部と、当該携帯電話が使用する電話帳データを記憶する記憶部と、前記特定情報及び電話帳データを含む通信信号を前記電話装置へ送信する送信部とを備える。前記電話装置は、表示部と、前記携帯電話より通信信号を受信する受信部と、前記携帯電話の特定情報と電話帳データを関連付けて記憶する情報記憶部と、前記受信部が前記通信信号に含まれる特定情報を受信したとき、前記情報記憶部より当該携帯電話に関連する電話帳データを読み出して前記表示部に表示する表示制御部とを備える。【選択図】図４
2011254294.tif 000002
【特許請求の範囲】
【請求項１】
携帯電話と、一般加入者電話回線に接続された電話装置とを備える電話システムであって、
前記携帯電話は、当該携帯電話を特定する特定情報を記憶する特定情報記憶部と、当該携帯電話が使用する電話帳データを記憶する記憶部と、前記特定情報及び電話帳データを含む通信信号を前記電話装置へ送信する送信部とを備え、
前記電話装置は、表示部と、前記携帯電話より通信信号を受信する受信部と、前記携帯電話の特定情報と電話帳データを関連付けて記憶する情報記憶部と、前記受信部が前記通信信号に含まれる特定情報を受信したとき、前記情報記憶部より当該携帯電話に関連する電話帳データを読み出して前記表示部に表示する表示制御部とを備える
ことを特徴とする電話システム。
【請求項２】
前記携帯電話は、電話帳データの表示禁止信号または表示禁止解除信号を送信し、前記電話装置は、前記携帯電話より電話帳データの表示禁止信号を受信した場合、前記表示制御部は前記情報記憶部に記憶された当該携帯電話に関連する電話帳データの表示を禁止し、前記表示禁止解除信号を受信した場合は、前記情報記憶部に記憶された当該携帯電話に関連する電話帳データの表示可能にする請求項１に記載の電話システム。
【請求項３】
前記送信部は、近距離無線送信部であり、前記受信部は近距離無線受信部である請求項１または２に記載の電話システム。
【請求項４】
前記携帯電話は、角速度センサーまたは加速度センサーを備え、携帯電話が揺動または回転操作された場合に、前記角速度センサーまたは加速度センサーの出力によって、前記電話装置に表示されている電話帳データから所望の電話番号を選択する請求項１から３までのいずれか１項に記載の電話システム。
【請求項５】
更に、前記電話装置と通信可能な子機を備え、前記子機は角速度センサーまたは加速度センサーを備え、子機が揺動または回転操作された場合に、前記角速度センサーまたは加速度センサーの出力によって、前記電話装置に表示されている電話帳データから所望の電話番号を選択する請求項１から４までのいずれか１項に記載の電話システム。
【請求項６】
前記角度センサー或いは加速度センサーの出力により、または携帯電話、子機或いは電話装置の発呼ボタンの操作出力により、前記電話装置に選択表示されている電話番号に発呼する請求項１から５までのいずれか１項に記載の電話システム。
【請求項７】
携帯電話と通信可能な電話システムにおける一般加入者電話回線に接続された電話装置であって、
表示部と、
前記携帯電話より当該携帯電話を特定する特定情報と、当該携帯電話が使用する電話帳データを含む通信信号を受信する受信部と、
前記受信部で受信した携帯電話の特定情報と電話帳データを関連付けて記憶する情報記憶部と、
前記受信部が携帯電話より前記通信信号に含まれる特定情報を受信したとき、前記情報記憶部より当該携帯電話に関連する電話帳データを読み出して前記表示部に表示する表示制御部とを備える
ことを特徴とする電話システムにおける電話装置。
【請求項８】
電話装置と携帯電話を備える電話システムにおける携帯電話であって、
前記携帯電話は、当該携帯電話を特定する特定情報を記憶する特定情報記憶部と、当該径庭電話が使用する電話帳データを記憶する記憶部と、前記特定情報及び電話帳データを含む通信信号を前記電話装置へ送信し、前記電話装置に格納させる送信部とを備え、
前記送信部より前記特定情報を含む通信信号を送信するとき、前記電話装置の表示部に当該携帯電話に関連する電話帳データを読み出させて表示させることを特徴とする電話システムにおける携帯電話。
【請求項９】
携帯電話と、一般加入者電話回線に接続された電話装置とを備える電話システムの表示制御方法であって、
前記携帯電話は、当該携帯電話を特定する特定情報を記憶する特定情報記憶部と、当該携帯電話が使用する電話帳データを記憶する記憶部と、前記特定情報及び電話帳データを含む通信信号を前記電話装置へ送信する送信部とを備え、
前記電話装置は、表示部と、前記携帯電話より通信信号を受信する受信部と、前記携帯電話の特定情報と電話帳データを関連付けて記憶する情報記憶部と、前記受信部が前記通信信号に含まれる特定情報を受信したとき、前記情報記憶部より当該携帯電話に関連する電話帳データを読み出して前記表示部に表示する表示制御部とを備え、
前記携帯電話は、前記特定情報及び電話帳データを含む第１通信信号を前記電話装置へ送信する第１送信ステップまたは前記特定情報を含む通信信号を前記電話装置へ第２送信する第２送信ステップと
を実行し、
前記電話装置は、
前記携帯電話より通信信号を受信する受信ステップと、
前記受信ステップにより前記第１通信信号を受信したとき、携帯電話の特定情報と電話帳データを関連付けて記憶する情報記憶ステップと、
前記受信ステップにより特定情報を含む前記第２通信信号を受信したとき、前記情報記憶ステップにより記憶された当該携帯電話に関連する電話帳データを読み出して前記表示部に表示する表示制御ステップと
をコンピュータによって実行する電話システムの表示制御方法。
【発明の詳細な説明】
【技術分野】
【０００１】
この発明は、電話システム関し、特に、携帯電話に記憶された電話帳データを電話装置に転送し、電話装置に記憶させて表示させる電話システムに関する。
【背景技術】
【０００２】
携帯電話に記憶された電話帳データを利用して、電話装置から発呼する電話システムが公知である。例えば、特許文献１は、携帯電話に記憶された電話帳情報を赤外線通信により固定電話に送信し、固定電話は携帯電話より受信した電話帳情報を参照して発呼先の電話番号を選択し、その電話番号を発呼するものである。また、特許文献２は、携帯電話に記憶された電話帳データを受信して、一般加入者回線に接続された電話装置の表示部に表示し、電話番号データが表示されている間に発呼操作またはハンドセットが取り上げられた際に電話発信するものである。
【先行技術文献】
【特許文献】
【０００３】
【特許文献１】特開２００８−１８７４８９号公報
【特許文献２】特開２００５−１１００３３号公報
【発明の概要】
【発明が解決しようとする課題】
【０００４】
特許文献１及び２により、携帯電話に記憶された電話帳データを利用して一般加入電話回線から発呼することができる。
しかし、携帯電話に記憶された電話帳データを電話装置に転送し表示できるとともに、電話装置に記憶させた電話帳データのセキュリティを高めることが望まれている。例えば、家庭では、父親、母親、子供及び祖父母がそれぞれ携帯電話を所有し、それぞれが個人的に携帯電話に電話帳データを管理している。また、オフィスでも各自が携帯電話を所有し、各自が携帯電話の電話帳データを管理している。これら各自が管理している電話帳データを電話装置に転送して記憶させた場合、電話装置に記憶された電話帳データは誰でも見ることが可能になり、各自のプライバシーを守ることができない。
本発明は、上記のような問題に鑑み、携帯電話に記憶された電話帳データを電話装置に記憶させ、表示させる場合、電話装置に記憶させた電話帳データのセキュリティを高めることが可能な電話システムを提供するものである。また、電話装置に表示させた電話帳データを有効に活用することが可能な電話システムを提供するものである。
【課題を解決するための手段】
【０００５】
本発明の電話システムは、上記課題を解決するため、携帯電話と、一般加入者電話回線に接続された電話装置とを備える電話システムであって、前記携帯電話は、当該携帯電話を特定する特定情報を記憶する特定情報記憶部と、当該携帯電話が使用する電話帳データを記憶する電話帳データ記憶部と、前記特定情報及び電話帳データを含む通信信号を前記電話装置へ送信する送信部とを備え、前記電話装置は、表示部と、前記携帯電話より通信信号を受信する受信部と、前記携帯電話の特定情報と電話帳データを関連付けて記憶する情報記憶部と、前記受信部が前記通信信号に含まれる特定情報を受信したとき、前記情報記憶部より当該携帯電話に関連する電話帳データを読み出して前記表示部に表示する表示制御部とを備えることを特徴とする。
【発明の効果】
【０００６】
本発明によれば、携帯電話に記憶された電話帳データを電話装置に記憶させ、表示させることができる。また、電話装置に記憶させた電話帳データは、当該携帯電話の特定情報がなければ、表示させることができないので、セキュリティを高くすることが可能になる。
【図面の簡単な説明】
【０００７】
【図１】本発明の電話システムの構成図を示す。
【図２】本発明の電話システムの第１の使用状態説明図を示す。
【図３】本発明の電話システムの第２の使用状態説明図を示す。
【図４】本発明の電話システムを構成する電話装置のブロック図を示す。
【図５】本発明の電話システムに使用される所有者情報データマトリックスを示す。
【図６】本発明の電話システムに使用される電話帳情報データマトリックスを示す。
【図７】本発明の電話システムに使用される操作情報データマトリックスを示す。
【図８】本発明の電話システムを構成する携帯電話のブロック図を示す。
【図９】本発明の電話システムを構成する子機のブロック図を示す。
【図１０】本発明の電話システムによる電話帳データ保存処理のフローチャートを示す。
【図１１】本発明の電話システムによる電話帳データ表示のフローチャートを示す。
【図１２】本発明の電話システムによる電話帳データの表示ロックするフローチャートを示す。
【図１３】本発明の電話システムによる携帯電話を使用したリモコン操作のフローチャートを示す。
【発明を実施するための形態】
【０００８】
本発明の電話システムは、携帯電話と、一般加入者電話回線に接続された電話装置とを備えて構成される。ここで、携帯電話は、当該携帯電話を特定する特定情報を記憶する特定情報記憶部と、当該携帯電話が使用する電話帳データを記憶する電話帳データ記憶部と、前記特定情報及び電話帳データを含む通信信号を前記電話装置へ送信する送信部とを備える。また、前記電話装置は、表示部と、前記携帯電話より通信信号を受信する受信部と、前記携帯電話の特定情報と電話帳データを関連付けて記憶する情報記憶部と、前記受信部が前記通信信号に含まれる特定情報を受信したとき、前記情報記憶部より当該携帯電話に関連する電話帳データを読み出して前記表示部に表示する表示制御部とを備える。
これにより、本発明によれば、携帯電話に記憶された電話帳データを電話装置に転送して記憶させ表示させることができる。そして、電話装置に記憶させた電話帳データは当該携帯電話の特定情報がなければ、表示されないので、セキュリティを高くすることができる。その結果、電話装置の記憶装置に記憶された電話帳データを所有する各自のプライバシーを守ることができる。
【０００９】
また、本発明の電話システムは、実施形態において、前記携帯電話は、電話帳データの表示禁止信号または表示禁止解除信号を送信し、前記電話装置は、前記携帯電話より電話帳データの表示禁止信号を受信した場合、前記表示制御部は前記情報記憶部に記憶された当該携帯電話に関連する電話帳データの表示を禁止し、前記表示禁止解除信号を受信した場合は、前記情報記憶部に記憶された当該携帯電話に関連する電話帳データの表示可能にするものである。
これにより、電話装置に記憶した電話帳データを表示禁止状態にすることができ、他の携帯電話より当該携帯電話の特定情報を送信してもその電話帳データは表示することができない。そのため、電話帳データのセキュリティをより高くすることができる。しかし、当該携帯電話より表示禁止解除信号を送信することにより、前記情報記憶部に記憶された当該携帯電話の電話帳データを表示することができる。
【００１０】
また、本発明の電話システムは、実施形態において、送信部は、近距離無線送信部であり、前記受信部は近距離無線受信部である。
これにより、携帯電話と電話装置は電話回線あるいは携帯電話中継局を経由せずに直接通信が可能になり、見通し通信であり、通信速度が速く、無料で通信することができる。
【００１１】
また、本発明の電話システムは、実施形態において、前記携帯電話は、角速度センサーまたは加速度センサーを備え、携帯電話が揺動または回転操作された場合に、前記角速度センサーまたは加速度センサーの出力によって、前記電話装置に表示されている電話帳データから所望の電話番号を選択するものである。
これにより、携帯電話を揺動または回転操作することにより、携帯電話をリモコンのようにして使用し、電話装置の表示部に表示されている電話帳データから所望の電話番号を選択することができる。
【００１２】
また、本発明の電話システムは、実施形態において、更に、前記電話装置と通信可能な子機を備え、前記子機は角速度センサーまたは加速度センサーを備え、子機が揺動または回転操作された場合に、前記角速度センサーまたは加速度センサーの出力によって、前記電話装置に表示されている電話帳データから所望の電話番号を選択するものである。
これにより、子機をリモコンのように使用して、電話装置の表示部に表示されている電話帳データから所望の電話番号を選択することができる。
【００１３】
また、本発明の電話システムは、実施形態において、前記角度センサー或いは加速度センサーの出力により、または携帯電話、子機或いは電話装置の発呼ボタンの操作出力により、前記電話装置に選択表示されている電話番号に発呼するものである。
これにより、電話装置に表示されている電話帳データをから選択された電話番号に発呼することができる。この場合に、通話は、一般加入者電話回線を使用するので、通話料金を抑えることができる。
【００１４】
本発明は別の観点では、携帯電話と通信可能な電話システムにおける一般加入者電話回線に接続された電話装置であって、表示部と、前記携帯電話より当該携帯電話を特定する特定情報と、当該携帯電話が使用する電話帳データを含む通信信号を受信する受信部と、前記受信部で受信した携帯電話の特定情報と電話帳データを関連付けて記憶する情報記憶部と、前記受信部が携帯電話より前記特定情報を受信したとき、前記情報記憶部より当該携帯電話に関連する電話帳データを読み出して前記表示部に表示する表示制御部とを備えることを特徴とする。
【００１５】
また、本発明は別の観点では、携帯電話と、電話装置を備える電話システムにおける携帯電話であって、前記携帯電話は、当該携帯電話を特定する特定情報を記憶する特定情報記憶部と、当該携帯電話が使用する電話帳データを記憶する電話帳データ記憶部と、前記特定情報及び電話帳データを含む通信信号を前記電話装置へ送信し、前記電話装置に格納させる送信部とを備え、前記送信部より前記特定情報を含む通信信号を送信するとき、前記電話装置の表示部に当該携帯電話に関連する電話帳データを読み出させて表示させることを特徴とする。
【００１６】
また、本発明は別の観点では、携帯電話と、一般加入者電話回線に接続された電話装置とを備える電話システムの表示制御方法であって、前記携帯電話は、当該携帯電話を特定する特定情報を記憶する特定情報記憶部と、当該携帯電話が使用する電話帳データを記憶する電話帳データ記憶部と、前記特定情報及び電話帳データを含む通信信号を前記電話装置へ送信する送信部とを備え、前記電話装置は、表示部と、前記携帯電話より通信信号を受信する受信部と、前記携帯電話の特定情報と電話帳データを関連付けて記憶する情報記憶部と、前記受信部が前記通信信号に含まれる特定情報を受信したとき、前記情報記憶部より当該携帯電話に関連する電話帳データを読み出して前記表示部に表示する表示制御部とを備え、前記携帯電話は、前記特定情報及び電話帳データを含む第１通信信号を前記電話装置へ送信する第１送信ステップまたは前記特定情報を含む第２通信信号を前記電話装置へ送信する第２送信ステップとをコンピュータによって実行し、前記電話装置は、前記携帯電話より通信信号を受信する受信ステップと、前記受信ステップにより前記第１通信信号を受信したとき、携帯電話の特定情報と電話帳データを関連付けて記憶する情報記憶ステップと、前記受信ステップにより前記特定情報を含む第２通信信号を受信したとき、前記情報記憶ステップにより記憶された当該携帯電話に関連する電話帳データを読み出して前記表示部に表示する表示制御ステップとをコンピュータによって実行するものである。
【００１７】
以下、本発明の電話システムについて図面を参照して説明する。
図１は、本発明の電話システムの構成図を示す。
本発明の電話システムは、図１に示すように、一般加入者電話回線に接続された電話装置（固定網通信端末と言うこともある。）１００と、無線子機１０１と、携帯電話２０１、２０２及び２０３から構成される。無線子機は１つ以上でもよく、電話装置１００及び無線子機間通信が可能である。また携帯電話は、１つ以上何個でもよく、キャリアに接続することができるとともに、本発明の電話システムでは、電話装置１００と近距離無線通信が可能である。
図１の電話装置１００は、５型〜１０型程度の表示画面１０２を有する大型の表示部を備え、待機状態のとき、表示画面１０２にスライドショー中の一画面を表示している。例えば、家族旅行の写真を表示している。電話装置１００が待機状態のとき、表示画面１０２にはスライドショー中の一画面を表示する外に、電話帳、写真、カレンダー、時計またはスケジュールを表示してもよく、また、会社或いは事務所では、会社情報、製品情報、製品紹介または広告情報を表示してもよい。
【００１８】
ここで、電話装置１００は、操作部及び受話口（スピーカ）、送話口（マイク）を有していない。そのため、電話装置１００の近傍に１つの無線子機１０１が配置され、操作端末として使用される。従って、電話装置１００と無線子機１０１によって親機を構成する。以下では、電話装置１００と無線子機１０１を含めて親機と言うこともある。無線子機１０１は電話装置１００に備えられた電話・ＦＡＸ制御装置を介して、一般加入者電話回線に接続され、またネットワーク通信部を介してＬＡＮに接続される。従って、無線子機１０１は電話装置１００を介して電話を掛けたり、電話を受けたり、親子通信及び子機間通信したりすることができる。
【００１９】
また、この電話装置１００は一般加入者電話回線に接続されているので、ＦＡＸ送信及び受信が可能であるが、スキャナ装置及び印刷装置を備えていない。そのため、送信画像及び受信画像は、メモリ媒体によって入出力する。あるいは、電話装置１００とは別に備えられたスキャナ装置により画像を取り込み、また電話装置とは別に備えられた印刷装置により画像を印刷する。また、電話装置１００は電話回線に接続されているので、携帯電話によって撮影された画像情報を入力することが可能である。もしくは携帯電話に画像情報を出力することも可能である。
更に、電話装置１００はＬＡＮに接続され、ネットワークと通信可能であるので、ネットワークのホームページにある画像情報を利用したり、ホームページに出力したりすることが可能である。
【００２０】
図１に示した携帯電話２０１、２０２及び２０３は、少なくともダイヤルボタン２１１、十字ボタン２１２、表示部２１３、マイク２１４、スピーカ２１５を備える。また、携帯電話内部に角速度センサー、加速度センサー及び電話装置１００と直接通信する近距離無線通信部を備える。近距離無線通信部は、例えば、Bluetooth(登録商標),IrDA,IrSS,IrSimpleなどであり、音声データ、画像データ、電話帳データ、その他データの送受信に利用される。
このように、電話装置１００と携帯電話が近距離通信することにより、キャリア無線通信を経由することなく、携帯電話から電話装置へ直接通信することが可能になる。本発明の電話システムは、近距離通信によって、携帯電話から電話装置へ電話帳データを記憶させ、また携帯電話より電話装置に記憶された電話帳データを読み出して表示させることができる。このとき、電話帳データは携帯電話の固有ＩＤ情報に関連付けられており、固有ＩＤ情報を電話装置に送信することによって電話帳データの読み出し、表示が可能になる。従って、電話帳データに関連付けられた固有ＩＤ情報がなければ、電話帳データを読み出すことができないので、セキュリティを高くすることができる。そして、表示された電話帳データを参照して所望の相手先を選択し、その相手先に電話番号を発呼することができる。
【００２１】
また、携帯電話は、電話装置に記憶させた電話帳データの表示禁止信号または表示禁止解除信号を送信することができる。一方、電話装置は、携帯電話より電話帳データの表示禁止信号を受信した場合、情報記憶部に記憶された当該携帯電話に関連する電話帳データの表示を禁止し、表示禁止解除信号を受信した場合は、情報記憶部に記憶された当該携帯電話に関連する電話帳データを表示可能にするものである。従って、電話装置に記憶した電話帳データを表示禁止状態にすることができ、他の携帯電話より当該携帯電話の特定情報を送信してもその電話帳データは表示することができない。そのため、電話帳データのセキュリティをより高くすることができる。しかし、当該携帯電話より表示禁止解除信号を送信することにより、前記情報記憶部に記憶された当該携帯電話の電話帳データを表示することができる。
【００２２】
図２は、携帯電話２０１から近距離通信によって、電話装置１００へ携帯電話２０１の電話帳データと、携帯電話２０１の固有ＩＤ情報が関連付けて送信され、電話装置１００に記憶されることを示す。そして、携帯電話２０１から要求があったとき、携帯電話２０１の固有ＩＤ情報を認証して電話装置１００に記憶された電話帳データを読み出し、表示画面１０２に表示する。図２は、携帯電話２０１の所有者である母親の電話帳データに登録されている友人達がそれぞれ好きなペット或いは飼っているペットの写真を４枚表示していることを示している。このように写真を表示しているとき、所望の写真を選択すると、そのペットが好きな友人或いはそのペットを飼っている友人が所望の相手先として選択される。更に携帯電話、子機または電話装置を操作することにより、その友人に発呼し、通話することができる。
【００２３】
同様に、図示しないが、携帯電話２０２から近距離通信によって、携帯電話２０２の電話帳データと、携帯電話２０２の固有ＩＤ情報が関連付けて電話装置１００に送信され、電話装置１００に記憶される。そして、携帯電話２０２から要求があったとき、携帯電話２０２の固有ＩＤ情報を認証して電話装置１００に記憶された電話帳データを読み出し、表示画面１０２に表示する。この場合、表示画面には携帯電話２０２の所有者である娘の電話帳データに登録されている友人達の写真が表示される。このように写真を表示しているとき、所望の写真を選択することにより、所望の相手先を選択することができる。更に携帯電話、子機または電話装置を操作することにより、その友人に発呼し、通話することができる。
【００２４】
また、図示しないが、携帯電話２０３から近距離通信によって、携帯電話２０３の電話帳データと、携帯電話２０３の固有ＩＤ情報が関連付けて電話装置１００に送信され、電話装置１００に記憶される。そして、携帯電話２０３から要求があったとき、携帯電話２０３の固有ＩＤ情報を認証して電話装置１００に記憶された電話帳データを読み出し、表示画面１０２に表示する。この場合、表示画面には携帯電話２０３の所有者である祖父の孫たちの写真が複数枚表示される。このように写真を表示しているとき、所望の写真を選択することにより、所望の相手先を選択することができる。更に携帯電話、子機または電話装置を操作することにより、その友人に発呼し、通話することができる。
【００２５】
また、図３は、図２のようにして、電話装置１００に記憶された電話帳データから、携帯電話２０１からの要求によって当該携帯電話に関連付けられた電話帳データを読み出して、表示部１０２に表示させているとき、携帯電話２０１をリモコンのように使用して、上下または左右に揺動操作し、電話帳データを選択し、更に、携帯電話を前後に揺動操作して、所望の相手先を選択する。そして、更に、携帯電話２０１を前後に揺動操作して、その相手先に発呼し、通話する様子を示す。
同様に、表示部１０２に電話帳データが表示されているとき、子機１０１をリモコンのように使用して、上下、左右または前後に揺動操作し、所望の相手先を選択し、更に、前後に揺動操作して、その相手先に発呼し、通話することができる。
ここで、表示部１０２に表示される電話帳データは、表示を要求した携帯電話の固有ＩＤ情報と、予め電話装置１００に記憶された電話帳データの固有ＩＤ情報が一致するものである。もし、固有ＩＤ情報が一致しない場合は、電話帳データは表示されないので、セキュリティを高くすることができる。
なお、図３は、携帯電話２０１及び子機１０１を示したが、他の携帯電話及び子機も同様に操作可能である。
【００２６】
このように、電話装置は、各携帯電話から電話帳データと携帯電話の固有ＩＤ情報を受信し、携帯電話の電話帳データと、当該携帯電話の固有ＩＤ情報を関連付けて記憶する。そして、携帯電話が当該携帯電話の固有ＩＤ情報を送信すると、その携帯電話の電話帳データが表示される。このとき、携帯電話と当該携帯電話の固有ＩＤ情報が異なると、電話装置は、電話帳データを表示しないので、セキュリティを高くすることができる。また、携帯電話より当該携帯電話の電話帳データ表示禁止にすると、他の携帯電話からは見ることができないので、よりセキュリティを高くすることができる。更に、携帯電話を上下または左右など揺動操作して、電話帳データを選択し、また携帯電話を前後に揺動操作して、所望の相手先を選択することができる。そして、携帯電話、子機或いは電話装置より、選択表示された電話番号に発呼することができる。
【００２７】
＜電話装置の構成＞
図４は、本発明の電話システムに適用される電話装置１００のブロック図を示す。この電話装置は、子機を備え、また近距離無線通信により携帯電話と直接通信可能である。
電話装置１００は、例えばＣＰＵのような主制御装置１、ワーキングメモリとして使用されるＲＡＭ２、ＲＯＭ３、所有者情報データマトリックス、電話帳情報データマトリックスおよび操作情報データマトリックスを記憶するフラッシュＲＯＭ４、スピーカ５、電話・ＦＡＸ制御装置６、表示部７、操作部８、音声コーデック９、画像コーデック１０、メモリカード制御部１１、ＵＳＢ制御部１２、データ通信無線制御部１３、ネットワーク通信部１４及びデータ記憶部１５を備え、これら各部分はバス１６により相互通信可能に接続される。また、電話・ＦＡＸ制御装置６は近距離通信部１７および子機部１８に接続される。
図１では、電話装置１００は、マイク、スピーカ及び操作部を備えていないとして説明したが、これらは電話装置１００の必須のものでなく、これらを電話装置１００に備えることにより親機として使用してもよいし、電話装置１００と無線子機をセットにして親機として使用してもよい。
【００２８】
上記主制御装置１は、ＲＯＭ３に格納されたプログラムを読み出して、電話装置１００及び無線子機を初期の目的とおりに動作するよう制御する。また、携帯電話及び無線子機との通信を制御する。
ＲＡＭ２は、上記主制御装置１が所定の動作を実行する場合にデータ、情報等を一時的に記憶するワーキングメモリである。例えば、携帯電話より受信した固有ＩＤ情報をキーワードとして、フラッシュＲＯＭ４に記憶されている電話帳データを検索したり、各携帯電話と表示情報の関係を検索する検索部として使用されたり、検索結果に基づき表示情報を表示させる表示制御部として使用されたりする。また、携帯電話より受信した操作情報に基づき、各携帯電話と操作情報の関係を検索する検索部として使用されたり、検索結果により表示情報を制御する表示制御部として使用されたりする。
ＲＯＭ３は、本発明の電話システムを初期の目的とおりに動作させるプログラムデータ及びこの電話システムに必要な固定データを記憶する。
【００２９】
フラッシュＲＯＭ４は、図５に示す所有者情報データマトリックス、図６に示す電話帳情報データマトリックスおよび図７に示す操作情報データマトリックスを記憶する。フラッシュＲＯＭ４は、データマトリックス形式で記憶してもよいが、携帯電話の所有者名ごとに各情報を記憶するようにしてもよい。図５〜図７のデータマトリクスは明示的に示すものであり、フラッシュＲＯＭ４の記憶状態を示すものではない。また、図５〜図７のデータマトリクスは、一例であり、図５〜図７以外の情報または操作を任意に設定することが可能である。
また、フラッシュＲＯＭ４は、図１、図２および図３に示したような写真以外に、動画及び静止画なども格納し、それぞれ画像名、タイトル、格納時刻、または格納者などが付されている。また、会社又は事務所で使用するために、会社情報、製品情報、製品紹介、広告情報、またはスケジュールなどを格納してもよい。
【００３０】
図５は、所有者情報データマトリックスを示し、携帯電話の所有者名、携帯電話の固有ＩＤ情報及び電話帳データ名を関係付けて記憶する。固有ＩＤ情報は、携帯電話番号、所有者名、ニックネームまたは暗証番号のような携帯電話を識別する特定情報でもかまないが、ここでは、特定情報は固有ＩＤ情報として説明する。図５は、これ以外に携帯電話社名及び機種名などを記憶してもよい。
図５に示すように、所有者情報データマトリックスは、例えば、電話装置１００の電話帳データ名（ホンタイ）と、アドレス帳Ａの電話帳データ名（ハナコ）と、アドレス帳Ｂの電話帳データ名（ヨシコ）と、アドレス帳Ｃの電話帳データ名（シロウ）を記憶している。これら電話帳データは、固有ＩＤ情報に関係付けられ、例えば、電話装置１００の電話帳データ名（ホンタイ）は、共通の電話帳データであるので、固有ＩＤ情報なしである。従って、どの携帯電話からも表示を要求することができる。しかし、アドレス帳Ａの電話帳データ名（ハナコ）は、母親の携帯電話の電話帳データであるので、母親の携帯電話の固有ＩＤ情報（００１）が関係付けられている。また、アドレス帳Ｂの電話帳データ名（ヨシコ）は、娘の携帯電話の電話帳データであるので、娘の携帯電話の固有ＩＤ情報（００２）が関係付けられている。また、アドレス帳Ｃの電話帳データ名（シロウ）は、祖父の携帯電話の電話帳データであるので、祖父の携帯電話の固有ＩＤ情報（００３）が関係付けられている。従って、アドレス帳Ａの電話帳データは固有ＩＤ情報（００１）が一致する場合にだけ表示され、他の固有ＩＤ情報によっては表示することができない。他のアドレス帳も同様に固有ＩＤ情報が一致する場合にだけ表示され、固有ＩＤ情報が異なれば、アドレス帳を表示することはできない。
【００３１】
図６は、電話帳情報データマトリックスを示し、図５の電話帳データ名の詳細情報である。図６に示すように、各電話帳データ名は、表示ロック有無と、相手先ごとの情報を記憶する。相手先の情報としては、相手先氏名、相手先電話番号、ニックネーム及び画像であるが、これら以外に、住所、誕生日、勤務先または趣味のような情報を記憶してもかまない。また、相手先は、ひらがな順、アルファベット順に並べたり、勤務先、趣味、親類のようなカテゴリーに分類したりしてもよい。
電話帳情報データマトリックスは、表示ロック有無の欄があり、各電話帳データ名毎に表示ロックの有無を設定することができる。表示ロック有りは、当該携帯電話よりロック解除操作しなければ、固有ＩＤ情報だけでは電話帳データを表示させることができない。この表示ロック有無は、当該携帯電話からの操作により、当該携帯電話の電話帳データを表示ロックするか、どうかを設定することができる。
【００３２】
図７は、操作情報データマトリックスを示し、携帯電話の操作と、電話装置の動作の関係を示す。即ち、携帯電話を上方向に揺動すると、表示されている電話帳データ中の表示箇所を１行上方向に移動する。また携帯電話を下方向に揺動すると、表示されている電話帳データ中の表示箇所を１行下方向に移動する。また、携帯電話を左方向に揺動すると、表示されている電話帳データ中の表示箇所を１列左方向に移動する。また携帯電話を右方向に揺動すると、表示されている電話帳データ中の表示箇所を１列右方向に移動する。携帯電話を左回転すると、表示されている電話帳データを１頁送りする。携帯電話を右回転すると、表示されている電話帳データを１頁戻りする。そして、携帯電話を軸方向に前後に移動させると、表示されている電話帳データ中の表示箇所を所望の電話番号として選択する。携帯電話を軸方向に前後に２回目の移動をさせると、選択されたアドレスに発呼する。
上記に示した携帯電話の操作と、電話帳データの表示動作の関係は、任意に設定することが可能であり、図７は一例である。
【００３３】
電話・ＦＡＸ制御装置６は、電話回線２１と接続され、電話またはＦＡＸ通信を制御する部分である。電話回線２１は電話装置１００を介して携帯電話と接続することも可能である。
音声制御部６１は、電話回線２１と、各無線子機と、各携帯電話の音声信号を制御する。
ＦＡＸ制御部６２は、電話回線２１からの画像信号の受信、または電話回線２１への画像信号の出力を制御する。
この実施形態では、電話装置１００はスキャナ及び印刷装置を備えていないが、メモリカードまたはＵＳＢに接続される記憶媒体から入力された画像信号、またはデータ記憶部１５に記憶している表示情報をＦＡＸ信号として送信することができる。また、ＦＡＸ信号を受信した場合、ＲＡＭ２に記憶し、ユーザの要求に応じて表示部に表示させることができる。そして、必要に応じて、メモリカードまたはＵＳＢに接続される記憶媒体に記録することができる。
信号制御部６３は、電話回線２１から受信した信号、または電話装置１００から発信する信号を制御するＬＩＵ（Line Interface Unit）である。例えば、着信信号を検出したときは電話装置１００に着信表示及び着信音出力させる。またダイヤル送出信号を送出する際は、発呼信号を出力し、ダイヤル信号を電話回線２１へ送信する。また、電話回線２１より開閉信号を受信したときは、電話装置１００内の電話回路を開閉する。その外に、電話とＦＡＸ、着信と発呼が衝突していないかを検出する。
【００３４】
表示部７は、液晶表示装置７１、バックライト７２を備える。液晶表示装置７１は、５型〜１０型程度の大きさであり、いわゆるポートレートを表示できるような大きさである。液晶表示装置７１の大きさは５型〜１０型に制限される必要はなく、これ以下であってもこれ以上であってもよい。バックライト７２は、電話装置１００の操作部８が操作されると点灯し、液晶表示装置７１により情報表示状態になる。または、電話またはＦＡＸを受信すると、受信状態を表示する。この他に、ＬＥＤを備え、ＬＥＤが点灯するときは、無線子機または携帯電話の使用中であることを表示し、ＬＥＤが点灯していないときは無線子機または携帯電話の使用中でないことを表示する。
【００３５】
操作部８は、０から９までの数字と＊、＃ボタンとで計１２個のダイヤルボタンと、外線発信のための発呼ボタン、短縮ダイヤル登録のための登録ボタン、短縮ダイヤル発信のための短縮ボタン、前回ダイヤルした電話番号を再度ダイヤルするためのリダイヤルボタン及び十字ボタンなどのキーボタン８１及びキー制御部８２を備える。キーボタン８１によって、電話装置１００の操作を可能にする。また、液晶表示装置７１の前面にタッチパネル８３が配置され、タッチパネル８３を使用して操作された場合、タッチパネル制御部８４によって操作位置が検出され、操作位置に対応した操作信号を生成し、電話装置１００の操作を可能にする。
音声コーデック９は、音声信号の符号化・復号化のために、ＩＳＤＮの音声通信用Ｇ．７１１コーデックなどを備える。
画像コーデック１０は、画像信号の圧縮・伸張を行なうソフトウエアであり、Ｇ３、Ｇ４ファクシミリの画像圧縮・伸張に用いられる。
【００３６】
メモリカード制御部１１は、電話装置１００に備えられたメモリカード接続部１１ａにメモリカードが挿入されたとき、メモリカードを検出し、メモリカードに記録された情報を取り込み、信号処理する。或いは、電話装置１００のＲＡＭ２またはデータ記憶部１５に記憶するデータ、または電話回線２１より受信した情報をメモリカードに書き込む。
ＵＳＢ制御部１２は、電話装置１００に備えられたＵＳＢ接続部１２ａにＵＳＢが接続されたとき、ＵＳＢを検出し、ＵＳＢに接続される機器、例えば、外付けハードディスク、ＤＶＤ、ＣＤより情報を取り込み、信号処理する。或いは、電話装置１００のＲＡＭ２またはデータ記憶部１５に記憶するデータ、または電話回線２１より受信した情報をＵＳＢ接続部１２ａに接続された機器へ送る。
データ通信無線制御部１３は、Bluetooth（登録商標）のような近距離無線通信をさすが、IrDA,IrSS,またはIrSimpleのような赤外線通信であってもよい。このデータ通信無線制御部１３は、携帯電話２０１,２０２及び２０３以外の携帯電話と通信するためのものである。
ネットワーク通信部１４は、RJ-45、有線ＬＡＮ通信またはＷｉＦｉなど無線ＬＡＮ通信機能を備え、ＬＡＮ２２により、内部ネットワークまたは外部ネットワークと通信し、画像情報または音声情報を取得または出力する。
データ記憶部１５は、不揮発性メモリである。この実施形態では、フラッシュＲＯＭ４とデータ記憶部１５を備えるが、これらは何れも不揮発性メモリであり、いずれか一方のみを備えてもよいし、メモリ容量を大きくするため両方を備えてもよい。
【００３７】
近距離無線通信部１７は、電話装置１００と携帯電話２０１，２０２または２０３との直接無線通信を可能にする制御部である。直接無線通信は、電話回線あるいは中継局を経由せずに直接無線通信するものであり、近距離無線通信、見通し通信である。直接通信は、通信速度が速く、無料で通信することができる。通信速度が速いので、携帯電話から電話装置を直接操作する感覚で使用することができる。データ通信のため、例えば、Bluetooth（登録商標）,IrDA,IrSS,またはIrSimpleが使用され、音声データ、画像データ、電話帳データまたは固有ＩＤ情報、およびその他データの送受信が行われる。本発明では、携帯電話から電話帳データ、固有ＩＤ情報および操作情報の送受信に利用される。
この実施形態では、データ通信無線制御部１３と近距離無線通信部１７を備えるが、データ通信無線制御部１３と近距離無線通信部１７は同等の機能を有しているので、いずれか一方のみでもよいし、両方を備え、携帯電話２０１，２０２及び２０３と、それ以外の携帯電話に使い分けてもよい。
【００３８】
子機制御装置１８は、子機無線通信部１８１と、子機無線コマンド制御部１８２を備える。子機無線通信部１８１は、電話装置１００と無線子機間の無線通信を制御する。無線子機は必要に応じて２つ以上備えてもかまわない。
子機無線コマンド制御部１８２は、電話・ＦＡＸ制御装置６とデータの送受信を行い、無線子機との通信信号を解析して、どの無線子機がクレードルアップもしくは通信回線捕捉状態（即ち、オフフック）に移行したかを検出する。また、無線子機から送信された操作コマンドを検出する。
【００３９】
＜携帯電話の構成＞
図８は、携帯電話２０１のブロック図を示す。なお、携帯電話２０２，２０３は図示しないが、少なくとも図８の構成を備えているとし、その他の構成を備えていてもよい。
携帯電話２０１は、携帯電話を制御する主制御装置３１、ＲＯＭ３２、ＲＡＭ３３、データ記憶部３４、スピーカ３５、マイク３６、表示部３７、操作部３８、音声コーデック３９、画像コーデック４０、キャリア間無線通信制御部４１、データ通信無線制御部４２、メモリカード制御部４３、角速度センサー４４、加速度センサー４５および充電制御部４６を備える。
【００４０】
主制御装置３１は、ＲＯＭ３２に格納されたプログラムを読み出して、携帯電話２０１を初期の目的とおりに動作するよう制御する。
ＲＯＭ３２は、携帯電話２０１を初期の目的とおりに動作させるプログラムデータ及びこの携帯電話に必要な固定データを記憶する。
ＲＡＭ３３は、主制御装置３１が所定の動作を実行する場合にデータ、情報等を一時的に記憶するワーキングメモリである。
データ記憶部３４は、不揮発性メモリであり、携帯電話２０１の特定情報を記憶する。特定情報は、固有ＩＤ情報、携帯電話番号、所有者名、ニックネーム、または暗証番号のような携帯電話を識別するための情報である。また、データ記憶部３４は、電話帳データ、送信メールおよび受信メールを記憶する。この外に、カメラで撮影した画像を記憶する。この撮影画像は、電話装置１００へ送信され、携帯電話に関連付けられた表示画像として表示部に表示される。
【００４１】
スピーカ３５は、受話器であり、マイクロホン３６は送話器である。
表示制御部３７は、液晶表示装置３７１、バックライト３７２の表示を制御する。
操作部３８は、０から９までの数字と＊、＃ボタンで計１２個のダイヤルボタンと、オフフックボタン、短縮ダイヤル登録のための登録ボタン、短縮ダイヤル発信のための短縮ボタン、前回ダイヤルした電話番号を再度ダイヤルするためのリダイヤルボタン及び十字ボタンなどのキーボタン３８１及びキー制御部３８２を備える。これらキーボタン３８１によって、携帯電話２０１の操作を可能にする。
【００４２】
音声コーデック３９は、ＩＳＤＮの音声通信用Ｇ．７１１コーデックなどの音声コーデックのために音声信号の符号化・復号化を行なうソフトウエアである。
画像コーデック４０は、画像信号の圧縮・伸張を行なうソフトウエアである。
キャリア間無線通信制御部４１は、携帯電話２０１が携帯電話基地局４００と無線通信するための制御部であり、携帯電話番号、音声データ、メール、画像データを送受信する。
【００４３】
近距離無線通信部部４２は、携帯電話同士が例えば、Bluetooth（登録商標）,IrDA,IrSS,またはIrSimple機能によって、電話帳データおよび固有ＩＤ情報またはその他データの送受信のために備えられたデータ通信を制御する部分である。本発明は、近距離無線通信部部４２を使用して、電話装置１００と近距離無線通信によって、直接通信する。直接通信によって、例えば、電話帳データおよび固有ＩＤ情報、または画像データおよびその他データの送受信、および携帯電話の固有ＩＤ情報及び操作情報を送信する。
メモリカード制御部４３は、携帯電話２０１に備えられたメモリカード接続部にメモリカードが挿入されたとき、メモリカードを検出し、メモリカードに記録された情報を取り込み、信号処理する。或いは、携帯電話２０１のＲＡＭ３３またはデータ記憶部３９に記憶しているデータをメモリカードに書き込む。
【００４４】
角速度センサー４４は、携帯電話２０１の回転方向および回転速度を検出して、近距離無線通信部部４２により、角速度情報を電話装置１００へ送信する。回転方向は右回転または左回転を検出する。また、回転速度は１秒間あたりの速度を検出する。しかし、回転方向および回転速度は必須でなく、角速度センサー４４が回転を検出したか、検出していないかの信号を出力するだけでもよい。
加速度センサー４５は、携帯電話２０１の左右方向、前後方向、または上下方向の揺動を検出する。更には、斜め方向の揺動を検出する。しかし、これら方向を全部分類して検出することは必須でなく、いずれか一つだけが揺動したことを検出してもよい。また移動速度を検出してもよい。
充電制御部４６は、携帯電話２０１の二次電池（図示しない）の過充電を防止し、充電を制御する部分である。
【００４５】
＜子機の構成＞
図９は電話装置１００と通信可能な子機１０１のブロック図を示す。なお、他の子機も同様の構成を備えているとするが、その他の構成を備えていてもよい。
子機１０１は、子機を制御する主制御装置５１、ＲＯＭ５２、ＲＡＭ５３、データ記憶部５４、スピーカ５５、マイク５６、表示部５７、操作部５８、無線制御部５９、角速度センサー６０、加速度センサー６１、および充電制御部６２を備える。
【００４６】
主制御装置５１は、ＲＯＭ５２に格納されたプログラムを読み出して、子機１０１を初期の目的とおりに動作するよう制御する。
ＲＯＭ５２は、子機１０１を初期の目的とおりに動作させるプログラムデータ及びこの子機に必要な固定データを記憶する。
ＲＡＭ３３は、主制御装置３１が所定の動作を実行する場合にデータ、情報等を一時的に記憶するワーキングメモリである。
データ記憶部５４は、子機１０１の識別情報を記憶する。識別情報としては、子機番号、子機の所有者名、子機の固有ＩＤ情報のような情報である。
【００４７】
スピーカ５５は、受話器であり、マイクロホン５６は送話器である。
表示制御部５７は、液晶表示装置５７１、バックライト５７２の表示を制御する。
操作部５８は、０から９までの数字と＊、＃ボタンで計１２個のダイヤルボタンと、オフフックボタン、短縮ダイヤル登録のための登録ボタン、短縮ダイヤル発信のための短縮ボタン、前回ダイヤルした電話番号を再度ダイヤルするためのリダイヤルボタン及び十字ボタンなどのキーボタン５８１及びキー制御部５８２を備える。これらキーボタン５８１によって、子機１０１の操作を可能にする。
【００４８】
無線制御部５９は、電話装置１００との無線通信を制御する部分であり、無線通信部５９１と無線コマンド制御部５９２を備える。無線通信部５９１は、電話装置１００との無線通信を制御する。無線コマンド制御部５９２は、データ記憶部５４より読み出した子機１０１の識別情報と、操作部５８の操作によって生成された操作コマンドまたは角速度センサー６０或いは加速度センサー６１の検出出力より得られる操作情報を、通信信号として無線通信部５９１より電話装置１００に送信するよう制御する。ここでは、子機１０１０の識別情報と、操作コマンドまたは操作情報を通信信号として送信するが、その他の情報または信号を含んでいても構わない。
【００４９】
角速度センサー６０は、子機１０１の回転方向および回転速度を検出して、無線制御部５９により、角速度情報を電話装置１００へ送信する。回転方向は右回転または左回転を検出する。また、回転速度は１秒間あたりの速度を検出する。しかし、回転方向および回転速度は必須でなく、角速度センサー４６が回転を検出したか、検出していないかの信号を出力するだけでもよい。
加速度センサー６１は、子機１０１の左右方向、前後方向、または上下方向の揺動を検出する。更には、斜め方向の揺動を検出する。しかし、これら方向を全部分類して検出することは必須でなく、いずれか一つだけが揺動したことを検出してもよい。また移動速度を検出してもよい。
充電制御部６２は、子機１０１の二次電池（図示しない）の過充電を防止し、充電を制御する部分である。
【００５０】
＜電話装置に電話帳データを保存し、表示する動作＞
本発明の電話システムは、図４〜図９のように構成され、図２に示したように電話帳データを保存し、表示する。以下には、本発明の電話システムの動作を、図１０、図１１に示すフローチャート図とともに説明する。
なお、無線子機付き通信端末、即ち、電話装置は、親子電話として使用する場合、親機による電話およびＦＡＸの送受信、無線子機による電話の送受信、親機と無線子機間の通話、及び無線子機間の通話が行なえる。また、携帯電話は、他の携帯電話との送受信、メールの送受信、ネットワークの接続、カメラでの撮影、画像保存及び画像情報の電話装置への送信が可能である。しかし、これらの機能は本発明の主旨ではないので、ここでは説明を省略し、本発明の主旨である、携帯電話に記憶されている電話帳データの保存および表示動作について説明する。
【００５１】
先ず、携帯電話２０１から電話帳データを電話装置１００に送信し、電話装置１００に保存する動作を説明する。ここには携帯電話２０１の動作を説明するが、他の携帯電話も同様に動作することができる。図１０は、携帯電話と電話装置のフローチャートを示し、左側に電話装置のフローチャート、右側に携帯電話のフローチャートを示す。
ステップＳ１は、電話装置１００が待機状態にある。即ち、携帯電話からの近距離無線通信の受信待機状態である。待機状態では、電話装置１００は、例えば、フラッシュＲＯＭ４に格納している表示情報を使用して、図１に示すようにスライドショーを表示する。スライドショー以外に、写真、カレンダー、時計、スケジュールまたは電話帳を表示してもよいし、これらをスライドショーのように所定時間ごとに順次変化するようにしてもよい。また、会社或いは事務所で使用する場合は、会社情報、製品情報、製品紹介、広告情報またはスケジュールを表示してもよい。
【００５２】
ステップＳ２は、携帯電話から近距離無線通信信号により、電話帳転送コマンドを受信したか否か判断する。この判断は、近距離無線通信部１７の受信信号の有無及び電話帳転送コマンドの信号フォーマットにより判断される。携帯電話から近距離無線通信信号を受信しなければ、ステップＳ１に戻る。携帯電話から近距離無線通信により、電話帳転送コマンドを受信した場合は、ステップＳ３に移行し、携帯電話の固有ＩＤ情報をチェックする。ここでは固有ＩＤ情報をチェックするが、固有ＩＤ情報以外に、例えば、携帯電話番号、所有者名、ニックネーム、または暗証番号のような携帯電話を識別する特定情報であってもよい。このチェックは、図５の所有者情報データマトリックスを使用して行なわれる。もし、図５の所有者情報データマトリックスに含まれていない固有ＩＤ情報である場合は、ステップＳ１に戻り、このフローを進まないようにする。次に、ステップＳ４は、携帯電話からの電話帳データファイルの受信待ちである。
【００５３】
そして、ステップＳ５では、携帯電話から近距離無線通信により、電話帳データファイルを受信したかどうか判断する。Ｙｅｓであれば、ステップＳ６に進み、電話帳データファイルを受信する。次に、ステップＳ７に移行し、電話帳データファイルは受信完了したかどうか判断する。受信完了しなければ、ステップＳ６に戻る。受信完了すると、ステップ８に移行し、電話帳データをフラッシュＲＯＭ４に保存する。この電話帳データを保存する場合、携帯電話の固有ＩＤ情報も関連付けて保存する。
以上の処理を各携帯電話について行なうことにより、図６に示す電話帳情報データマトリックスが生成され、保存される。
【００５４】
以上のような、電話装置１００の動作に対して、携帯電話は図１０の右側に示すフローチャートのように動作する。ステップＳ１１では、携帯電話はキーボタン３８１のような操作部３８を操作して携帯電話自身の表示部に３７に電話帳データを表示する。次に、ステップＳ１２では、表示されている電話帳データが所望の電話帳データである場合、その電話帳データを選択する。この選択の場合に、電話帳データは頁単位に選択してもよいし、１つまたは複数を個別に選択してもよいが、ここでは選択された電話帳データを電話帳データファイルという。次に、ステップＳ１３では、携帯電話にある電話帳転送モードを起動する。電話帳転送モードの起動は、例えば、「♯」ボタンと数字「１」ボタンの同時押しにより行われる。そして、次のステップＳ１４では、選択された電話帳データファイルに、当該携帯電話の固有ＩＤ情報を付加する。
【００５５】
次に、ステップＳ１５では、「♯」ボタンと数字「１」ボタンの同時押しにより生成された電話帳転送コマンドおよび固有ＩＤ情報を近距離無線通信部４２により電話装置へ送信する。近距離無線通信は、例えば、Bluetooth（登録商標）,IrDA,IrSS,またはIrSimpleにより行われる。
そして、ステップＳ１６では、電話帳データファイルの転送が開始される。このときも近距離無線通信によって転送される。電話帳データファイルの転送が終了したら（ステップＳ１７）、このフローは終了である。
【００５６】
＜電話帳データの表示操作＞
次に、電話装置に記憶させた電話帳データを携帯電話の操作によって表示させ、所望の電話番号を選択し、その電話番号に発呼する動作を図１１のフローチャートにより説明する。
図１１の左側に電話装置１００のフローチャートを示し、右側に携帯電話２０１のフローチャートを示す。
電話装置１００は、ステップＳ２１では、待機状態にある。即ち、本発明の場合、ステップＳ１と同様に、携帯電話からの近距離無線通信の受信待機状態であり、電話装置１００は、スライドショーまたは写真、カレンダー、時計、スケジュールまたは電話帳を表示する。或いは会社情報、製品情報、製品紹介、広告情報またはスケジュールを表示する。
次に、ステップ２２は、携帯電話より受信した信号が電話帳データ表示ロック解除コマンドと、携帯電話の固有ＩＤ情報の両方を受信したか否か判断する。ＮＯであればステップＳ２１に戻り、ＹＥＳであれば、次のステップＳ２３に進み、固有ＩＤ情報をチェックする。このチェックは、図１０のステップＳ３と同じである。
そして、ステップＳ２４では、受信した表示ロック解除コマンドにより、表示ロックを解除する。つまり、図６の電話帳情報データマトリックスにおいて、固有ＩＤ情報の該当する電話帳データ名の表示ロックをなしにする。この操作により、その電話帳データは表示可能になる。
【００５７】
次に、ステップＳ２５は、携帯電話からのリモコン操作開始コマンドの待機状態である。リモコンコマンドの送信があると、ステップＳ２６で、リモコンコマンドを受信したかどうか判断する。ＮＯであれば、ステップＳ２５に戻り、ＹＥＳであれば、ステップＳ２６で、携帯電話から受信したコマンドは電話帳の選択指示か否か判断する。ＮＯであれば、ステップＳ２５に戻り、ＹＥＳであれば、ステップＳ２７で、アドレスの選択指示コマンドか否か判断する。ＮＯであれば、ステップＳ２５に戻り、ＹＥＳであれば、ステップＳ２８に進む。ステップＳ２６及びＳ２７の動作は、図１３により説明する。
ステップＳ２８では、携帯電話のリモコン操作コマンドで指示された電話帳を電話帳データファイルのタグ情報を解析し、次のステップＳ２９で、携帯電話のリモコン操作コマンドで指示されたアドレスの電話帳を一覧表示する。つまり、ステップＳ２８では、図５の電話帳データ名を検索し、ステップＳ２８では、図６の相手先を検索して、その相手先の電話帳データを表示する。そして、ステップＳ３０では、発呼し、通話状態になる。
【００５８】
一方、携帯電話は、ステップＳ３１は、待機状態である。
ステップＳ３２は、電話帳表示ロックの解除操作である。この操作は、例えば、「♯」ボタンと数字「２」ボタンの同時押しにより行われる。このように、表示ロック解除操作は、比較的簡単な操作であってもよいが、厳重に管理する場合は、暗証番号を入力するようにするとよい。次に、ステップＳ３３は、電話帳表示ロック解除コマンドに、当該携帯電話の固有ＩＤ情報を付加する処理である。そして、次のステップＳ３４では、電話帳表示ロック解除コマンドと固有ＩＤ情報を近距離無線通信により電話装置へ送信する。
次に、ステップＳ３５は、携帯電話のリモコンモードを起動するステップである。リモコンモードの起動は、例えば、「♯」ボタンと数字「３」ボタンの同時押しにより行われる。そして、ステップＳ３６で、このリモコンコマンドが近距離無線通信により電話装置へ送信される。
次に、ステップＳ３７では、携帯電話を使用してリモコン操作が行われ、リモコン操作コマンドがステップＳ３８で近距離無線通信により電話装置へ送信される。携帯電話を使用したリモコン操作は、図１３により説明する。リモコン操作により、所望の電話番号を選択し、発呼したら、このリモコン操作は終了するので、ステップＳ３９で、リモコン操作コマンドの転送が完了し、通信切断することにより、このフローは終了する。
【００５９】
＜電話帳データファイルを表示ロックするフローチャート＞
図１２は、電話装置に記憶された電話帳データの表示をロックするフローチャートを示し、図１２の左側に携帯電話２０１のフローチャート、右側に電話装置１００のフローチャートを示す。
まず、図１１のフローチャートに示したステップＳ２９より、電話装置に記憶された電話帳データが表示状態であるとする。もし、電話帳データが表示されていない場合は、図１１のフローチャートのようにして、ステップＳ２９で、電話帳データを表示する。
次に、ステップＳ４２では、電話装置は、表示ロックコマンドと固有ＩＤ情報を受信したかどうか判断する。受信していなければ、ステップＳ４１に戻る。受信すればステップＳ４３に移行し、携帯電話の固有ＩＤ情報をチェックする。このチェックは、ステップＳ２３と同じである。次に、表示ロックコマンドがあるかどうか判断する。表示ロックコマンドでなければ、ステップＳ４３に戻る。しかし、表示ロックコマンドであれば、ステップＳ４５で、電話帳データを表示ロックする。つまり、図６の電話帳情報データマトリックスにおいて、固有ＩＤ情報が該当する電話帳データ名を表示ロック有りにする。この操作により、その電話帳データは表示不可能になる。
電話帳データを表示可能にするためには、図１１に示すように、携帯電話によりステップＳ３２で電話帳表示ロック解除操作を行い、電話装置によりステップＳ２４で表示ロック解除する。
【００６０】
一方、携帯電話は、ステップＳ５１において待機状態にある。次にステップＳ５２で、電話装置より電話帳データの表示ロック操作をする。この表示ロック操作は、例えば、「♯」ボタンと数字「４」ボタンの同時押しする。または暗証番号を入力する。次に、ステップＳ５３で、表示ロックコマンドに当該携帯電話の固有ＩＤ情報を付加する。その次に、ステップＳ５４で、表示ロックコマンドと固有ＩＤ情報を近距離無線通信により、電話装置へ送信する。その後、ステップＳ５５で、転送が終了すれば、このフローは終了である。
【００６１】
＜携帯電話によるリモコン操作＞
図１３は、携帯電話を使用して、電話装置に表示された電話帳データをリモコン操作するフローチャートを示し、図１３の上側に携帯電話２０１のフローチャート、下側に電話装置１００のフローチャートを示す。
図１３の上側のフローチャートは、図１１に示した携帯電話のステップＳ３７の詳細を示し、携帯電話が上に向けて操作されると（ステップＳ３７ａ）、加速度センサー４５が携帯電話の上方向への移動操作を検出し、加速度センサー４５より上方向の検出出力を出力する（ステップＳ３７ｍ）。この検出出力は、ステップＳ３８で、携帯電話のリモコン操作コマンド（上移動）として、近距離無線通信により電話装置へ送信される。
しかし、携帯電話が下に向けて操作されると（ステップＳ３７ｂ）、加速度センサー４５は携帯電話の下方向への移動操作を検出し、その検出出力（ステップＳ３７ｎ）は、ステップＳ３８で、携帯電話のリモコン操作コマンド（下移動）として、近距離無線通信により電話装置へ送信される。
同様に、携帯電話が左に向けて操作されると（ステップＳ３７ｃ）、加速度センサー４５は携帯電話の左方向への移動操作を検出し、その検出出力（ステップＳ３７ｏ）は、ステップＳ３８で、携帯電話のリモコン操作コマンド（左移動）として、近距離無線通信により電話装置へ送信される。また、携帯電話が右に向けて操作されると（ステップＳ３７ｄ）、加速度センサー４５は携帯電話の左方向への移動操作を検出し、その検出出力（ステップＳ３７ｐ）は、ステップＳ３８で、携帯電話のリモコン操作コマンド（右移動）として、近距離無線通信により電話装置へ送信される。
携帯電話が左回転に操作されると（ステップＳ３７ｅ）、角速度センサー４４は携帯電話の左方向への移動操作を検出し、その検出出力（ステップＳ３７ｑ）は、ステップＳ３８で、携帯電話のリモコン操作コマンド（１頁送り）として、近距離無線通信により電話装置へ送信される。携帯電話が右回転に操作されると（ステップＳ３７ｆ）、角速度センサー４４は携帯電話の左方向への移動操作を検出し、その検出出力（ステップＳ３７ｒ）は、ステップＳ３８で、携帯電話のリモコン操作コマンド（１頁戻り）として、近距離無線通信により電話装置へ送信される。
上記リモコン操作の順番は任意であり、どの順に操作されてもよく、また、不必要な操作は行なわなくてもよい。
【００６２】
次に、携帯電話をその軸方向に前後１回操作行なうと（ステップＳ３７ｇ）、加速度センサー４５は携帯電話の前後操作を検出し、その検出出力（ステップＳ３７ｓ）は、ステップＳ３８で、携帯電話のリモコン操作コマンド（選択）として、近距離無線通信により電話装置へ送信される。また、携帯電話がその軸方向に前後２回操作を行なうと（ステップＳ３７ｈ）、加速度センサー４５は携帯電話の前後操作を検出し、その検出出力（ステップＳ３７ｔ）は、ステップＳ３８で、携帯電話のリモコン操作コマンド（発呼）として、近距離無線通信により電話装置へ送信される。
【００６３】
一方、電話装置は、上記携帯電話のリモコン操作コマンドを受信すると、図１３の下側に示したフローチャートのように動作する。図１３の下側のフローチャートは、図１１に示した携帯電話のステップＳ２８、ステップＳ２９及びステプＳ３０の詳細を示す。
ステップＳ２９ａは、携帯電話より上方向のリモコン操作コマンド（上移動）を受信すると、その操作コマンドに従い、ステップＳ２９ｍで、電話帳データの表示箇所を１つ上方向に移動する。ステップＳ２９ｂでは、下方向のリモコン操作コマンド（下移動）に従い、ステップＳ２９ｎで、電話帳データの表示箇所を１つ下方向に移動する。ステップＳ２９ｃでは、左方向のリモコン操作コマンド（左移動）に従い、ステップＳ２９ｏで、電話帳データの表示箇所を１つ左方向に移動する。ステップＳ２９ｄでは、右方向のリモコン操作コマンド（右移動）に従い、ステップＳ２９ｐで、電話帳データの表示箇所を１つ右方向に移動する。ステップＳ２８ａでは、左回転のリモコン操作コマンド（１頁送り）に従い、ステップＳ２８ｍで、電話帳データの表示箇所を１頁送りする。ステップＳ２８ｂでは、左回転のリモコン操作コマンド（１頁戻り）に従い、ステップＳ２８ｎで、電話帳データの表示箇所を１頁戻る。
このようにして、電話帳データは頁めくりされ、所望の電話番号に表示箇所を移動させることができる。
【００６４】
次に、ステップＳ３０ａでは、携帯電話の軸方向に前後１回操作のリモコン操作コマンド（選択）を受信すると、その操作コマンドは、図７の操作情報データマトリックスに従い、電話帳データの表示箇所が所望の電話番号であるとして選択される。次に、ステップＳ３０ｂでは、携帯電話の軸方向に前後２回操作のリモコン操作コマンドを受信すると、その操作コマンドは、図７の操作情報データマトリックスに従い、選択された電話帳データの電話番号に発呼される。その後、携帯電話より、近距離無線通信を利用して、電話装置に接続された一般加入者電話回線を使用して通話する。通話終了後は、携帯電話のオンフックを操作して、一般加入者電話回線を切断する。
このようにして、所望の電話番号が選択され、その電話番号に発呼される。
なお、この図１３に示したフローチャートでは、携帯電話を２回前後に操作したとき、電話装置は発呼のリモコン操作として動作するが、携帯電話から発呼のリモコン操作は、携帯電話のオフフックボタンを操作してもよい。また、このように発呼及び通話は、携帯電話を使用しないで、電話装置の発呼ボタン及びハンドセットを使用してもよい。
【００６５】
以上には、電話装置１００と携帯電話１０２の動作を説明したが、子機によっても同様な操作が可能である。しかし、子機は電話帳データを保存していないので、子機より電話装置へ電話帳データを保存する動作、即ち、図１０に示したフローチャートの動作は行われない。
子機の動作フローは、携帯電話のフローチャートと類似しているので、携帯電話のフローチャートを使用して説明する。
図１１に示した電話装置に保存された電話帳データ（ホンタイ）は、子機からも表示させることが可能である。即ち、電話装置自身の電話帳データ（ホンタイ）は、図５に示すように固有ＩＤ情報がなく、また、図６に示すように、表示ロックもなしの状態である。従って、図１１のフローチャートにおいて、子機は、ステップＳ３１からステップＳ３４の操作を行なわずに、リモコンモードを起動する（ステップＳ３５）。リモコンモードの起動は、携帯電話と同じであり、例えば、「♯」ボタンと数字「３」ボタンの同時押しにより行われる。勿論、携帯電話と異なる操作を設定しても構わない。次に、ステップＳ３６で、リモコンコマンドが子機の無線通信により電話装置へ送信される。
次に、ステップＳ３７では、子機を使用してリモコン操作が行われ、リモコン操作コマンドがステップＳ３８で無線通信により電話装置へ送信される。子機を使用したリモコン操作は、図１３に説明したとおりである。リモコン操作により、所望の電話番号を選択し、発呼したら、このリモコン操作は終了するので、ステップＳ３９で、リモコン操作コマンドの転送が完了し、通信切断することにより、このフローは終了する。
【００６６】
子機の操作に対して、電話装置は、図１１のフローチャートに示したように動作する。従って、子機の操作により、所望の電話番号が選択され、その電話番号に発呼することができる。
なお、この図１３に示したフローチャートでは、子機を２回前後に操作すると、電話装置は発呼のリモコン操作として動作するが、子機から発呼のリモコン操作は、子機のオフフックボタンを操作してもよい。また、このように発呼及び通話は、子機を使用しないで、電話装置の発呼ボタン及びハンドセットを使用してもよい。
【符号の説明】
【００６７】
１００  電話装置
１０１  子機
１０２  待機画面
２０１、２０２、２０３  携帯電話
４  フラッシュＲＯＭ
６  電話・ＦＡＸ制御装置
７  表示部
８  操作部
１３  データ通信無線制御部
１７  近距離無線通信部
１８  子機部
４２  近距離無線通信部
３７  表示部
４４  角速度センサー
４５  加速度センサー
５８  操作部
５９  無線制御部
６０  角速度センサー
６１  加速度センサー
【図１】
2011254294.tif 000003
【図２】
2011254294.tif 000004
【図３】
2011254294.tif 000005
【図４】
2011254294.tif 000006
【図５】
2011254294.tif 000007
【図６】
2011254294.tif 000008
【図７】
2011254294.tif 000009
【図８】
2011254294.tif 000010
【図９】
2011254294.tif 000011
【図１０】
2011254294.tif 000012
【図１１】
2011254294.tif 000013
【図１２】
2011254294.tif 000014
【図１３】
2011254294.tif 000015